(57)【要約】      （修正有）【課題】スケジュールの作成及び登録の操作性を向上させた携帯端末装置を提供する。【解決手段】携帯端末装置のスケジュール機能は、スケジュール作成時の各設定項目（例えば、アラームＯＮ／ＯＦＦ設定など）の設定値を記録し、過去の設定傾向情報から各設定項目の初期値を決定する。過去の設定傾向情報は、例えば、各設定項目の設定値に対するスケジュールの開始時刻の時間帯別の統計情報やスケジュールの用件別の統計情報である。これにより、スケジュール作成時に、スケジュールの開始時刻や用件などスケジュールの内容毎に設定項目の初期値を変更する頻度が大幅に減少し、スケジュール作成時の操作性が大幅に向上する。【選択図】図４
2008134949.tif 000002
【特許請求の範囲】
【請求項１】
スケジュールを作成、登録するスケジュール機能を有する携帯端末装置において、
ユーザ操作により設定可能な設定項目を含むスケジュール作成画面を表示する表示手段と、
スケジュール登録時の前記設定項目項目を格納する記憶手段と、
前記記憶手段に記憶された過去のスケジュール項目の設定傾向に基づいて、スケジュール作成時の前記スケジュール作成画面に表示する設定項目の初期値を決定する決定手段とを備えることを特徴とする携帯端末装置。
【請求項２】
請求項１において、
前記設定項目は、スケジュール開始時刻における通常アラームのオン／オフ設定、又は当該スケジュール開始時刻より前の所定時刻における予告アラームのオン／オフ設定であることを特徴とする携帯端末装置。
【請求項３】
請求項２において、
前記記憶手段は、前記通常アラームのオン／オフ設定の設定傾向として、スケジュールの開始時刻の時間帯別のスケジュール登録件数と、当該スケジュール登録件数のうちの通常アラームがオン設定された件数の情報を記憶することを特徴とする携帯端末装置。
【請求項４】
請求項２において、
前記記憶手段は、前記通常アラームのオン／オフ設定の設定傾向として、スケジュールの用件別のスケジュール登録件数と、当該スケジュール登録件数のうちの通常アラームがオン設定された件数の情報を記憶することを特徴とする携帯端末装置。
【請求項５】
請求項２において、
前記記憶手段は、前記予告アラームのオン／オフ設定の設定傾向として、通常アラームがオン又はオフ設定されたそれぞれの場合における前記予告アラームがオンされた件数及び前記予告アラームがオフされた件数の情報を記憶することを特徴とする携帯端末装置。
【請求項６】
スケジュールを作成、登録するスケジュール機能を有する携帯端末装置の画面に、ユーザ操作により設定可能な設定項目を含むスケジュール作成画面を表示するスケジュール作成画面表示方法において、
前記携帯端末装置が、スケジュール登録時の前記設定項目を格納する記憶ステップと、
前記携帯端末装置が、前記記憶ステップにて記憶された過去のスケジュール項目の設定傾向に基づいて、スケジュール作成時の前記スケジュール作成画面に表示する前記設定項目の初期値を決定する決定ステップとを備えることを特徴とするスケジュール作成画面表示方法。
【発明の詳細な説明】
【技術分野】
【０００１】
本発明は、スケジュール機能を備えた携帯端末装置に関し、特に、スケジュールの作成及び登録の操作性を向上させた携帯端末装置及びそのスケジュール作成画面表示方法に関する。
【背景技術】
【０００２】
近年の携帯端末装置は、ハードウェアの性能（CPU性能やメモリ容量）の向上や、市場（すなわちユーザ）のニーズなどにより、高機能化が進んでいる。そのような中で、スケジュール機能をはじめとするPIM（Personal Information Manager）機能においては、機能拡張に伴う設定項目の増加などにより作成・登録操作が煩雑になりつつある。このため、スケジュール作成・登録時の操作性を向上させ、より簡単に、分かりやすく作成・登録できるようにすることが求められている。
【０００３】
図１は、携帯端末装置における従来のスケジュール作成・登録操作を説明する図である図１（ａ）に示すメニュー画面からスケジュール機能を選択して起動させる。そうすると、例えば、図１（ｂ）に示すようにカレンダーが表示され、キー操作により日にちを決定し、図１（ｃ）に示す新規作成画面において、開始時刻及び終了時刻を設定する。つづいて、図１（ｄ）に示す別の新規作成画面（アラーム設定画面）に移り、アラームのＯＮ／ＯＦＦ設定、予告アラームのＯＮ／ＯＦＦ設定、予告アラームの時間を設定する。アラームは、スケジュールの開始時刻に音声を出力する機能であり、予告アラームは、開始時刻に鳴るアラームとは別に、スケジュールの開始時刻前の所定時間に鳴るアラームである。このとき、各設定項目には、固定の初期値（例えば、アラーム「ＯＮ」、予告アラーム「ＯＮ」、予告アラーム時間「５分前」）があらかじめ設定されており、スケジュール作成時においては、固定の初期値が設定された新規作成画面が表示される。ユーザは、それぞれの項目を必要に応じて変更し、スケジュールを作成し、登録する。
【０００４】
図１（ｅ）では、ユーザは、アラームの設定を、固定値の「あり（ＯＮ）」から「なし（ＯＦＦ）」に変更する操作を行い、図１（ｆ）に示されるように、アラームの設定が変更されたことを確認してから、登録操作を行うことで、図１（ｇ）に示すように、作成されたスケジュールが登録され、その旨表示される。
【０００５】
下記特許文献１は、複数の選択枝がある複写機の使用条件について、実際に選択された選択枝の履歴情報に基づいて、各選択枝の過去の選択頻度に関する情報と、各選択枝の選択履歴の新旧情報とに基づいて、当該使用条件における初期設定値を決定する複写機の制御方法について開示している。
【０００６】
下記特許文献２は、複数のデバイスを有する情報処理装置において、複数のデバイスそれぞれに関する使用状況の履歴に基づいて、複数のデバイスの使用状況の傾向を時間帯別に示す特性情報を生成する手段と、特性情報に基づき、時間帯毎に各デバイスの電源のオン／オフまたはその動作速度を制御する手段とを具備する情報処理装置について開示している。
【特許文献１】特開平９−２３０７４６号公報
【特許文献２】特開２００３−１５７８３号公報
【発明の開示】
【発明が解決しようとする課題】
【０００７】
しかしながら、従来の携帯端末装置におけるスケジュール機能には、以下の問題がある。すなわち、スケジュール作成時の各設定項目には、固定の初期値が設定されているため、ユーザは、作成するスケジュールの内容、目的に応じてそれぞれの初期値を見直し、変更する操作が必要となる。
【０００８】
特にアラームＯＮ／ＯＦＦ設定については、固定の初期値がＯＮの場合、ユーザがアラームＯＦＦへの変更を忘れると、意図しない時刻にアラームがなってしまうという不都合が生じる。
【０００９】
一方で、固定の初期値をユーザが選択、設定できるようにすることも可能であるが、スケジュールのアラームＯＮ／ＯＦＦ設定については、スケジュールの内容、目的によって、ＯＮ／ＯＦＦを使い分ける場合が多いと考えられ、最終的には、ユーザによる設定の見直し、変更の操作が必要となる。
【００１０】
そこで、本発明の目的は、スケジュールの作成及び登録の操作性を向上させた携帯端末装置を提供することにある。すなわち、スケジュールの作成において、ユーザによる設定の変更操作をできるだけ不要とする携帯端末装置及びそのスケジュール作成画面表示を提供することにある。
【課題を解決するための手段】
【００１１】
上記目的を達成するための本発明の携帯端末装置の第一の構成は、スケジュールを作成、登録するスケジュール機能を有する携帯端末装置において、ユーザ操作により設定可能な設定項目を含むスケジュール作成画面を表示する表示手段と、スケジュール登録時の前記スケジュール項目を格納する記憶手段と、前記記憶手段に記憶された過去のスケジュール項目の設定傾向に基づいて、スケジュール作成時の前記スケジュール作成画面に表示するスケジュール項目の初期値を決定する決定手段とを備えることを特徴とする。
【００１２】
本発明の携帯端末装置の第二の構成は、上記第一の構成において、前記スケジュール項目は、スケジュール開始時刻における通常アラームのオン／オフ設定、又は当該スケジュール開始時刻より前の所定時刻における予告アラームのオン／オフ設定であることを特徴とする。
【００１３】
本発明の携帯端末装置の第三の構成は、上記第二の構成において、前記記憶手段は、前記通常アラームのオン／オフ設定の設定傾向として、スケジュールの開始時刻の時間帯別のスケジュール登録件数と、当該スケジュール登録件数のうちの通常アラームがオン設定された件数の情報を記憶することを特徴とする。
【００１４】
本発明の携帯端末装置の第四の構成は、上記第二の構成において、前記記憶手段は、前記通常アラームのオン／オフ設定の設定傾向として、スケジュールの用件別のスケジュール登録件数と、当該スケジュール登録件数のうちの通常アラームがオン設定された件数の情報を記憶することを特徴とする。
【００１５】
本発明の携帯端末装置の第五の構成は、上記第二の構成において、前記記憶手段は、前記予告アラームのオン／オフ設定の設定傾向として、通常アラームがオン又はオフ設定されたそれぞれの場合における前記予告アラームがオンされた件数及び前記予告アラームがオフされた件数の情報を記憶することを特徴とする。
【００１６】
本発明のスケジュール作成画面表示方法は、スケジュールを作成、登録するスケジュール機能を有する携帯端末装置の画面に、ユーザ操作により設定可能な設定項目を含むスケジュール作成画面を表示するスケジュール作成画面表示方法において、前記携帯端末装置が、スケジュール登録時の前記設定項目を格納する記憶ステップと、前記携帯端末装置が、前記記憶ステップにて記憶された過去のスケジュール項目の設定傾向に基づいて、スケジュール作成時の前記スケジュール作成画面に表示する前記設定項目の初期値を決定する決定ステップとを備えることを特徴とする。
【発明の効果】
【００１７】
本発明によれば、スケジュール作成時に、過去の設定傾向情報に基づいて、ユーザにより設定される確率の高い初期値が決定され、それがスケジュール表示画面に表示されるので、ユーザは高い確率でその設定項目について変更操作を行う必要はなく、スケジュール機能に対する操作性が大幅に向上する。
【００１８】
特に、アラーム設定については、初期値の変更を忘れてしまい、意図しない動作の発生（鳴らしたくないアラームが鳴ってしまう場合など）、意図した動作が発生しないこと（鳴るべきアラームが鳴らない場合など）を防止することもできる。
【発明を実施するための最良の形態】
【００１９】
以下、図面を参照して本発明の実施の形態について説明する。しかしながら、かかる実施の形態例が、本発明の技術的範囲を限定するものではない。
【００２０】
本発明の実施の形態例では、携帯端末装置のスケジュール機能は、スケジュール作成時の各設定項目（例えば、アラームＯＮ／ＯＦＦ設定など）の設定値を記録し、過去の設定傾向情報から各設定項目の初期値を決定する。過去の設定傾向情報は、例えば、各設定項目の設定値に対するスケジュールの開始時刻の時間帯別の統計情報や、スケジュールの用件別の統計情報である。
【００２１】
これにより、スケジュール作成時に、スケジュールの開始時刻や用件などスケジュールの内容毎に設定項目の初期値を変更する頻度が大幅に減少し、スケジュール作成時の操作性が大幅に向上する。また、アラームＯＮ／ＯＦＦ設定では、初期値ＯＮ設定からＯＦＦ設定への変更を忘れることにより、ユーザの意図しないアラームの鳴動を防ぐことができる。以下、本発明の実施の形態について詳細に説明する。
【００２２】
図２は、本発明の実施の形態における携帯端末装置のハードウェア構成例を示す図である。携帯端末装置は、アプリケーション制御部１００及び無線制御部１１０を備える。アプリケーション制御部１００は、本発明に特徴的なスケジュール機能を実行するためのソフトウェア（コンピュータプログラム）などを格納するＲＯＭ１０１、ＲＡＭ１０２を有し、アプリケーションＣＰＵ１０３が各種ソフトウェアを実行する。また、携帯端末装置は、メモリカードに対するデータの読み出し及び書き込み機能を有していてもよく、そのためのメモリカードリーダ・ライタ（メモリカードＲ／Ｗ）１０４を有していてもよい。また、スケジュール機能の起動に基づいてスケジュール作成画面を表示する表示部１０５、通話のためのスピーカやマイクから入出力される音響信号を制御するための音響制御部１０６、スピーカやマイクとのインターフェース（Audio Interface Unit：ＡＩＵ）１０７も設けられる。さらに、無線制御部１１０は、電話、電子メールやインターネットなどの各種通信における無線信号の送受信を制御するＣＰＵ１１１、インターフェース１１２及び無線信号送受信部（ＲＦ）１１３を有する。
【００２３】
図３は、本発明の実施の形態例にかかる携帯端末装置に組み込まれるソフトウェア構成例を示す図である。本発明のスケジュール機能を実行するためのソフトウェアは、例えば、図２のＲＯＭ１０１に格納され、アプリケーションＣＰＵ１０３により実行される。ソフトウェアは、スケジュールデータベース部１０、スケジュールエンジン部１１、スケジュールＵＩ部１２、メニュー部１３のアプリケーションプログラムを備えて構成される。
【００２４】
スケジュールデータベース部１０は、データを記憶するメモリ（データベース）を備え、スケジュールデータや各種関連データを保存、管理する。また、過去の設定傾向情報はスケジュールデータベース部１０に記録される。スケジュールエンジン部１１は、他のアプリケーションプログラムからの要求によりスケジュールデータベース部１０内のスケジュールデータ、各種関連データの検索、読み出し及び書き込みを行う。スケジュールＵＩ部１２は、ユーザインターフェースを提供し、各種設定やユーザによる選択動作を実現する。そして、設定傾向情報に基づいて各設定項目の初期値を決定する。メニュー部１３は、スケジュール機能を起動するためのメニューを有する。
【００２５】
図４は、スケジュール作成時の動作シーケンスを示す図である。ユーザが携帯端末装置を操作して、スケジュール機能を選択すると、メニュー部１３は、スケジュール機能を起動する。スケジュールＵＩ部１２は、スケジュールエンジン部１１を介してスケジュールデータベース部１０からスケジュールを読み出して、スケジュール機能初期画面を表示する（Ｓ１）。ユーザ操作により、スケジュールの新規作成が選択されると、スケジュールＵＩ部１２は、スケジュール作成画面を表示する（Ｓ２）（図１参照）。
【００２６】
スケジュールＵＩ部１２は、ユーザ操作によるスケジュールの日時、用件などの入力を受け付ける。さらに、アラーム設定の画面表示要求が選択されると、スケジュールＵＩ部１２は、後述するアラーム（予告アラームも含む）ＯＮ／ＯＦＦ設定に関する設定傾向情報（図５、図６、図９参照）及び初期値決定マトリクス（図７、図１０）を、スケジュールエンジン部１１を介してスケジュールデータベース部１０から読み出して、設定傾向情報を参照して、初期値決定マトリクスからアラーム（又は予告アラーム）ＯＮ／ＯＦＦ設定の初期値を決定する（図８、図１１）（Ｓ３）。決定された初期値がアラーム設定画面（スケジュール作成画面の別画面）に表示され（Ｓ４）、ユーザによる変更操作があれば、設定が変更される。ユーザ操作により、スケジュール作成画面にもどり、登録操作が行われると、アラーム（予告アラームも含む）ＯＮ／ＯＦＦ設定を含むスケジュールデータが、スケジュールデータベース部１０に登録され、さらに設定傾向情報も更新される。以下、アラームＯＮ／ＯＦＦ設定の初期値の決定処理を説明する。
【００２７】
図５は、アラームＯＮ／ＯＦＦ設定の時間帯別の設定傾向情報の例を示す図である。時間帯毎（例えば１時間単位）のスケジュールの登録件数ｎｘと、そのうち、アラームＯＮ設定した件数ａｘ（x=0,1,2,3,…）が記録される。
【００２８】
図６は、アラームＯＮ／ＯＦＦ設定の用件別の設定傾向情報の例を示す図である。用件毎（会議、出張など）のスケジュールの登録件数ｍｘ（x=0,1,2,3,…）と、そのうち、アラームＯＮ設定した件数ｂｘ（x=0,1,2,3,…）が記録される。
【００２９】
図７は、アラームＯＮ／ＯＦＦ設定の初期値の決定マトリクスを示す図である。図５の設定傾向情報に基づいて、時間帯毎のアラームＯＮ設定した割合ａｘ／ｎｘと、用件毎のアラームＯＮ設定した割合ｂｘ／ｍｘを求め、例えば図示するように分類してアラームＯＮ／ＯＦＦ設定の初期値を決定する。すなわち、（１）用件毎のアラームＯＮ設定した割合ｂｘ／ｍｘ＞０．８の場合は、時間帯毎のアラームＯＮ設定した割合ａｘ／ｎｘの値にかかわらず、アラームＯＮを初期値とする。（２）用件毎のアラームＯＮ設定した割合ｂｘ／ｍｘが０．２以上且つ０．８以下の場合は、（用件毎のアラームＯＮ設定した割合ｂｘ／ｍｘの値に依存せずに）時間対毎のアラームＯＮ設定した割合ａｘ／ｎｘ＞０．５の場合に、アラームＯＮを初期値とし、（３）時間対毎のアラームＯＮ設定した割合ａｘ／ｎｘ≦０．５の場合に、アラームＯＦＦを初期値とする。また、（４）用件毎のアラームＯＮ設定した割合ｂｘ／ｍｘ＜０．２の場合は、時間帯毎のアラームＯＮ設定した割合ａｘ／ｎｘの値にかかわらず、アラームＯＦＦを初期値とする。
【００３０】
図８は、図７の決定マトリックスに基づいたアラームＯＮ／ＯＦＦ設定の初期値決定処理のフローチャートである。スケジュール作成画面において入力された開始時刻が現在時刻よりも前の時刻（過去の時刻）であるかどうか判定され(Ｓ１００)、過去の時刻であれば、アラームＯＮ／ＯＦＦ設定の初期値はＯＦＦ（アラームなし）に決定される(Ｓ１０１)。開始時刻が現在時刻よりも後の時刻（未来の時刻）であれば、スケジュール作成画面において入力された用件に対応する用件別設定傾向情報（図６）を参照し、図７で示したように、当該用件に対応するアラームＯＮ設定した割合ｂｘ／ｍｘ＞０．８であるか判定され（Ｓ１０２）、そうである場合は、初期値はＯＮ（アラームあり）に決定される（Ｓ１０３）。そうでない場合（Ｓ１０２のＮｏ）は、さらに、当該用件に対応するアラームＯＮ設定した割合ｂｘ／ｍｘ＜０．２であるか判定され（Ｓ１０４）、そうである場合は、初期値はＯＦＦに決定される（Ｓ１０５）。そうでない場合（Ｓ１０４のＮｏ）は、用件毎のアラームＯＮ設定の割合ｂｘ／ｍｘが０．２以上且つ０．８以下の場合なので、入力された開始時刻の時間帯に対応する時間帯別設定傾向情報（図５）を参照し、当該時間帯に対応するアラームＯＮした割合ａｘ／ｎｘ≦０．５であるか判定され（Ｓ１０６）、そうである場合は、初期値はＯＦＦに決定され（Ｓ１０７）、そうでない場合（Ｓ１０６のＮｏ）は、初期値はＯＮに決定される（Ｓ１０８）。
【００３１】
このように、過去の設定傾向情報に基づいて、ユーザにより設定される確率の高い初期値を決定することで、ユーザは高い確率でその設定項目について、いちいち変更操作を行う必要はなく、スケジュール機能に対する操作性が大幅に向上する。また、初期値の変更を忘れてしまい、意図しない動作の発生（鳴らしたくないアラームが鳴ってしまう場合など）、意図した動作が発生しないこと（鳴るべきアラームが鳴らない場合など）を防止することもできる。
【００３２】
次に、スケジュールの予告アラームのＯＮ／ＯＦＦ設定における初期値決定の例について説明する。予告アラームは、上述したように、開始時刻に鳴るアラーム（以下、通常アラームという）とは別に、スケジュールの開始時刻前の所定時間に鳴るアラームである。予告アラームについても、図５と図６に示したように、時間帯別、用件別の設定傾向情報が記録される。予告アラームの使用は、ユーザにより使用頻度の偏りが大きいため、さらに予告アラームのＯＮ／ＯＦＦ設定について、通常アラームの設定と関連づけた設定傾向情報が収集され、記録される。
【００３３】
図９は、予告アラームＯＮ／ＯＦＦ設定についての通常アラームのＯＮ／ＯＦＦ別の設定傾向情報の例を示すである。すなわち、全スケジュール登録件数ｙ１と共に、次の４つのパターン（１）通常アラームＯＮ、予告アラームＯＮで登録した件数ｚ１、（２）通常アラームＯＮ、予告アラームＯＦＦで登録した件数ｚ２、（３）通常アラームＯＦＦ、予告アラームＯＮで登録した件数ｚ３、（４）通常アラームＯＦＦ、予告アラームＯＦＦで登録した件数ｚ４が記録される。
【００３４】
図１０は、予告アラームのＯＮ／ＯＦＦ設定の決定マトリクスを示す図である。図１０（ａ）が予告アラームＯＮする場合のマトリクスであって、図１０（ｂ）が予告アラームＯＦＦする場合のマトリクスである。
【００３５】
図１０（ａ）において、（１）予告アラームＯＮの割合（ｚ１＋ｚ３）／ｙ１＞０．９、（２）通常アラームＯＮ設定時における予告アラームＯＮの割合ｚ１／（ｚ１＋ｚ２）＞０．９、（３）通常アラームＯＦＦ設定時における予告アラームＯＮの割合ｚ３／（ｚ３＋ｚ４）＞０．９の場合、他の条件（例えば、時間帯や用件）にかかわらず予告アラーム設定をＯＮ設定する可能性が非常に高いと判断し、図１０（ａ）の条件を満たす場合、予告アラームＯＮ／ＯＦＦ設定の初期値をＯＮとする。
【００３６】
一方、図１０（ｂ）において、（１）予告アラームＯＮの割合（ｚ１＋ｚ３）／ｙ１＜０．１、（２）通常アラームＯＮ設定時における予告アラームＯＮの割合ｚ１／（ｚ１＋ｚ２）＜０．１、（３）通常アラームＯＦＦ設定時における予告アラームＯＮの割合ｚ３／（ｚ３＋ｚ４）＜０．１の場合、他の条件（例えば、時間帯や用件）にかかわらず予告アラーム設定をＯＦＦ設定する可能性が非常に高いと判断し、図１０（ｂ）の条件を満たす場合、予告アラームＯＮ／ＯＦＦ設定の初期値をＯＦＦとする。
【００３７】
なお、図１０（ａ）、図１０（ｂ）いずれの決定マトリクスの条件にも該当しない場合は、用件別設定傾向情報と時間帯別設定傾向情報を用いた予告アラームＯＮ／ＯＦＦ設定に対応する決定マトリクス（図７と同等）に基づいて、初期値が決定される。
【００３８】
図１１は、予告アラームＯＮ／ＯＦＦ設定の初期値決定処理のフローチャートである。スケジュール作成画面において入力された開始時刻が現在時刻よりも前の時刻（過去の時刻）であるかどうか判定され(Ｓ２００)、過去の時刻であれば、予告アラームＯＮ／ＯＦＦ設定の初期値はＯＦＦ（予告アラームなし）に決定される(Ｓ２０１)。開始時刻が現在時刻よりも後の時刻（未来の時刻）であれば、図９に示した通常アラーム設定別の設定傾向情報を参照し、スケジュールの用件や開始時刻にかかわらず予告アラームをＯＮ設定する割合が非常に高い図１０（ａ）の条件を満たすかどうか判定され（Ｓ２０２）、そうである場合は、初期値はＯＮに決定される（Ｓ２０３）。そうでない場合（Ｓ２０２のＮｏ）は、スケジュールの用件や開始時刻にかかわらず予告アラームをＯＦＦ設定する割合が非常に高い図１０（ｂ）の条件を満たすかどうか判定され（Ｓ２０４）、そうである場合は、初期値はＯＦＦに決定される（Ｓ２０５）。図１０（ａ）と図１０（ｂ）のいずれの条件も満たさない場合（Ｓ２０４のＮｏ）は、図７の処理と同様に、用件別、時間帯別の設定傾向情報に基づいた決定マトリクスにより、初期値が決定される。すなわち、スケジュール作成画面から入力された用件に対応する用件別設定傾向情報（予告アラームに関するもの）を参照し、当該用件に対応する予告アラームＯＮ設定した割合ｂｘ／ｍｘ＞０．８であるか判定され（Ｓ２０６）、そうである場合は、初期値はＯＮに決定される（Ｓ２０７）。そうでない場合（Ｓ２０６のＮｏ）は、さらに、当該用件に対応するアラームＯＮ設定した割合ｂｘ／ｍｘ＜０．２であるか判定され（Ｓ２０８）、そうである場合は、初期値はＯＦＦに決定される（Ｓ２０９）。そうでない場合（Ｓ２０８のＮｏ）は、続いて、スケジュール作成画面から入力された開始時刻の時間帯に対応する時間帯別設定傾向情報（予告アラームに関するもの）を参照し、当該時間帯に対応するアラームＯＮした割合ａｘ／ｎｘ≦０．５であるか判定され（Ｓ２１０）、そうである場合は、初期値はＯＦＦに決定され（Ｓ２１１）、そうでない場合（Ｓ２１０のＮｏ）は、初期値はＯＮに決定される（Ｓ２１２）。
【００３９】
上述の実施の形態では、設定項目として、通常アラームのＯＮ／ＯＦＦ設定及び予告アラームのＯＮ／ＯＦＦ設定について、設定傾向情報に基づいた初期値決定方法について説明したが、設定項目は、これらに限られず、他の項目であってもよい。また、設定傾向情報も、例示したものに限られない。
【図面の簡単な説明】
【００４０】
【図１】携帯端末装置における従来のスケジュール作成・登録操作を説明する図である
【図２】本発明の実施の形態における携帯端末装置のハードウェア構成例を示す図である。
【図３】本発明の実施の形態例にかかる携帯端末装置に組み込まれるソフトウェア構成例を示す図である。
【図４】スケジュール作成時の動作シーケンスを示す図である。
【図５】アラームＯＮ／ＯＦＦ設定の時間帯別の設定傾向情報の例を示す図である。
【図６】アラームＯＮ／ＯＦＦ設定の用件別の設定傾向情報の例を示す図である。
【図７】アラームＯＮ／ＯＦＦ設定の初期値の決定マトリクスを示す図である。
【図８】図７の決定マトリックスに基づいたアラームＯＮ／ＯＦＦ設定の初期値決定処理のフローチャートである。
【図９】予告アラームＯＮ／ＯＦＦ設定についての通常アラームのＯＮ／ＯＦＦ別の設定傾向情報の例を示すである。
【図１０】予告アラームのＯＮ／ＯＦＦ設定の決定マトリクスを示す図である。
【図１１】予告アラームＯＮ／ＯＦＦ設定の初期値決定処理のフローチャートである。
【符号の説明】
【００４１】
１０：スケジュールデータベース部、１１：スケジュールエンジン部、１２：スケジュールＵＩ部、１３：メニュー部、１００：アプリケーション制御部、１０１：ＲＯＭ、１０２：ＲＡＭ、１０３：アプリケーションＣＰＵ、１０５：表示部
【図１】
2008134949.tif 000003
【図２】
2008134949.tif 000004
【図３】
2008134949.tif 000005
【図４】
2008134949.tif 000006
【図５】
2008134949.tif 000007
【図６】
2008134949.tif 000008
【図７】
2008134949.tif 000009
【図８】
2008134949.tif 000010
【図９】
2008134949.tif 000011
【図１０】
2008134949.tif 000012
【図１１】
2008134949.tif 000013